(57)【特許請求の範囲】
【請求項１】
天井側が開放された有底の光学箱と、
上記光学箱の天井側を覆うように配置されて光通過開口を有する蓋部材と、
上記光学箱内に配置され、光ビームを出射する光源と、
上記光学箱の底壁部に支持され、上記光源から出射される光ビームを反射して偏向走査させる回転多面鏡と、
上記回転多面鏡にて偏向走査された光ビームを上記回転多面鏡よりも天井側に向けて反射する反射ミラーと、
上記回転多面鏡よりも天井側に配置され、上記反射ミラーにより反射された光ビームを、上記光通過開口を経由して上記被走査部材へと導く光学素子とを備え、
上記光学素子は上記蓋部材に支持され、
上記蓋部材は、上記光学素子を支持する蓋部と上記光学素子を支持しない蓋部とに分割されている、光走査装置。
【請求項２】
請求項１に記載の光走査装置において、
上記光学箱と上記蓋部材との間には緩衝部材が設けられている、光走査装置。
【請求項３】
請求項１又は２に記載の光走査装置において、
上記蓋部材における上記光学箱内に臨む面には、当該面から該光学箱の底壁部側に向かって延びて上記光学素子を支持する支持板部が形成されている、光走査装置。
【請求項４】
請求項３に記載の光走査装置において、
上記支持板部に対する上記光学素子の取付け角度を調整するための位置調整手段をさらに備えている、光走査装置。
【請求項５】
請求項１乃至４のいずれか一項に記載の光走査装置において、
上記光学素子は、上記回転多面鏡にて反射される光の主走査方向に延びており、
上記光学素子の主走査方向の中間部が上記蓋部材に支持されている、光走査装置。
【請求項６】
請求項１乃至５のいずれか一項に記載の光走査装置を備えた画像形成装置。
【発明の詳細な説明】
【技術分野】
【０００１】
本発明は、光走査装置及び該光走査装置を備えた画像形成装置に関する。
【背景技術】
【０００２】
従来より、電子写真方式の画像形成装置に搭載され、画像データに対応する光ビームを感光体ドラムの表面にて走査させる光走査装置は知られている（例えば、特許文献１参照）。この光走査装置は、光源と、光源から出射された光ビームを反射して偏向走査させる回転多面鏡と、光源及び回転多面鏡を収容する光学箱と、光学箱の天井側を閉塞する蓋部材とを備えている。蓋部材には、光ビームが通過可能な光通過開口が形成されている。光学箱の底壁部には、光源及び回転多面鏡に加えて、第一走査レンズ及び第一反射ミラーが設けられている。第一反射ミラーは、回転多面鏡にて反射された光ビームを回転多面鏡よりも天井側（蓋部材側）に向けて反射する。光学箱内における蓋部材の近傍には、第一反射ミラーにて反射された光ビームを、光通過開口を経由して被走査部材へと導く光学素子が（第二走査レンズ、第二反射ミラー及び第三反射ミラー等）が設けられている。各光学素子は、主走査方向に長い形状を有していて、回転多面鏡よりも天井側に配置されている。各光学素子の主走査方向の両端部は、光学箱の底壁部から天井側に向かって延びる支持柱によって支持されている。
【先行技術文献】
【特許文献】
【０００３】
【特許文献１】特開２０１１−５１１２８号公報
【発明の概要】
【発明が解決しようとする課題】
【０００４】
しかしながら、上記特許文献１に示す光走査装置では、回転多面鏡よりも天井側に配置された光学素子（第一反射ミラーにより反射された光ビームを被走査部材へと導く光学素子）を、光学箱の底壁部から天井側に延びる支持柱によって支持するようにしているので、光学素子の支持剛性を確保し難いという問題がある。光学素子の支持剛性が低いと、回転多面鏡の回転振動等により光学素子が簡単に振動して、光走査装置による感光体ドラム上への光ビームの照射精度が低下し、延いては印刷画像の画質が低下してしまう。
【０００５】
これに対して、光学箱の底壁部に第一走査レンズと重ならないように光学素子を配置することが考えられる。これにより、光学素子を光学箱の底壁部に直接支持させることができるので、支持柱により光学素子を支持する場合に比べて光学素子の振動を抑制することができる。しかしこの場合、光学箱の底壁部の面積を光学素子の配置スペース分だけ広くとる必要があり、光走査装置の設置面積が増大するという問題がある。
【０００６】
本発明は、かかる点に鑑みてなされたものであり、その目的とするところは、光走査装置の設置面積の増加を回避しつつ、回転多面鏡よりも天井側に配置された光学素子が、回転多面鏡の回転振動により振動するのを防止することにある。
【課題を解決するための手段】
【０００７】
本発明に係る画像形成装置は、天井側が開放された有底の光学箱と、上記光学箱の天井側を覆うように配置されて光通過開口を有する蓋部材と、上記光学箱内に配置され、光ビームを出射する光源と、上記光学箱の底壁部に支持され、上記光源から出射される光ビームを反射して偏向走査させる回転多面鏡と、上記回転多面鏡にて偏向走査された光ビームを上記回転多面鏡よりも天井側に向けて反射する反射ミラーと、上記回転多面鏡よりも天井側に配置され、上記反射ミラーにより反射された光ビームを、上記光通過開口を経由して上記被走査部材へと導く光学素子とを備え、上記光学素子は上記蓋部材に支持され、上記蓋部材は、上記光学素子を支持する蓋部と上記光学素子を支持しない蓋部とに分割されている。
【発明の効果】
【０００８】
本発明によれば、光走査装置の設置面積の増加を回避しつつ、回転多面鏡よりも天井側に配置された光学素子が、回転多面鏡の回転振動により振動するのを防止することができる。
【図面の簡単な説明】
【０００９】
【図１】図１は、実施形態における光走査装置を備えた画像形成装置の内部構造を示す概略図である。
【図２】図２は、光走査装置の蓋部材を外した状態を示す平面図である。
【図３】図３は、図２のIII方向矢視図である。
【図４】図４は、光走査装置に蓋部材を装着した状態を示す平面図である。
【図５】図５は、第二反射ミラーの支持部を拡大して示す主走査方向から見た側面図である。
【図６】図６は、図５のVI方向矢視図である。
【図７】図７は、第三反射ミラーの支持部を拡大して示す主走査方向から見た側面図である。
【図８】図８は、第二走査レンズの支持部を拡大して示す主走査方向から見た側面図である。
【図９】図９は、図８のIX方向矢視図である。
【図１０】図１０は、実施形態２を示す図４相当図である。
【発明を実施するための形態】
【００１０】
以下、本発明の実施形態を図面に基づいて詳細に説明する。尚、本発明は、以下の実施形態に限定されるものではない。
【００１１】
《実施形態１》
図１は、本実施形態における画像形成装置としてのレーザプリンタ１の概略構成を示す断面図である。
【００１２】
レーザプリンタ１は、図１に示すように、箱状のプリンタ本体２と、手差し給紙部６と、カセット給紙部７と、画像形成部８と、定着部９と、排紙部１０とを備えている。そうして、レーザプリンタ１は、プリンタ本体２内の搬送路Ｌに沿って用紙を搬送しながら、不図示の端末等から送信される画像データに基づいて用紙に画像を形成するように構成されている。
【００１３】
手差し給紙部６は、プリンタ本体２の１つの側部に開閉可能に設けられた手差しトレイ４と、プリンタ本体２の内部に回転可能に設けられた手差し用の給紙ローラ５とを有している。
【００１４】
カセット給紙部７は、プリンタ本体２の底部に設けられている。カセット給紙部７は、互いに重ねられた複数の用紙を収容する給紙カセット１１と、給紙カセット１１内の用紙を１枚ずつ取り出すピックローラ１２と、取り出された用紙を１枚ずつ分離して搬送路Ｌへと送り出すフィードローラ１３及びリタードローラ１４とを備えている。
【００１５】
画像形成部８は、プリント本体２内におけるカセット給紙部７の上方に設けられている。画像形成部８は、プリンタ本体２内に回転可能に設けられた像担持体である感光ドラム１６と、感光ドラム１６の周囲に配置された帯電器１７と、現像部１８と、転写ローラ１９及びクリーニング部２０と、感光ドラム１６の上方に配置された光走査装置３０と、トナーホッパー２１とを備えている。そうして、画像形成部８は、手差し給紙部６又はカセット給紙部７から供給された用紙に画像を形成するようになっている。尚、搬送路Ｌには、送り出された用紙を、一時的に待機させた後に所定のタイミングで画像形成部８に供給する一対のレジストローラ１５が設けられている。
【００１６】
定着部９は、画像形成部８の側方に配置されている。定着部９は、互いに圧接されて回転する定着ローラ２２及び加圧ローラ２３を備えている。そうして、定着部９は、画像形成部８で用紙に転写されたトナー像を当該用紙に定着させるように構成されている。
【００１７】
排紙部１０は、定着部９の上方に設けられている。排紙部１０は、排紙トレイ３と、排紙トレイ３へ用紙を搬送するための一対の排紙ローラ２４と、排紙ローラ対２４へ用紙を案内する複数の搬送ガイドリブ２５とを備えている。排紙トレイ３は、プリンタ本体２の上部に凹状に形成されている。
【００１８】
レーザプリンタ１が画像データを受信すると、画像形成部８において、感光ドラム１６が回転駆動されると共に、帯電器１７が感光ドラム１６の表面を帯電させる。
【００１９】
そして、画像データに基づいて、光ビームが光走査装置３０から感光ドラム１６へ出射される。感光ドラム１６の表面には、光ビームが照射されることによって静電潜像が形成される。感光ドラム１６上に形成された静電潜像は、現像部１８で現像されることにより、トナー像として可視像となる。
【００２０】
その後、用紙は転写ローラ１９と感光ドラム１６との間を通過する。その際、転写ローラー１９に印加された転写バイアスによって感光ドラム１６のトナー像が用紙に転写される。トナー像が転写された用紙は、定着部９において定着ローラ２３と加圧ローラ２４とにより加熱及び加圧される。その結果、トナー像が用紙に定着する。
【００２１】
図２及び図３に示すように、光走査装置３０は、天井側が開放する有底の光学箱３１と、光学箱３１の天井側を覆う蓋部材３２とを備えている。
【００２２】
蓋部材３２と光学箱３１との間には緩衝部材４６が設けられている。緩衝部材４６は、光学箱３１の側壁の天井側の端面に沿うように矩形枠状に形成されている。緩衝部材４６は、例えば、発泡ウレタン等の発泡体やゴム等の弾性樹脂を含む弾性材料で構成されている。緩衝部材４６は、ポリゴンミラー３４の回転振動を吸収して該回転振動が蓋部材３２に伝わるのを防止する機能を有している。尚、緩衝部材４６は、蓋部材３２に固定されていてもよいし、光学箱３１に固定されていてもよいし、蓋部材３２及び光学箱３１の双方に対して非固定であってもよい。
【００２３】
光学箱３１内には、光源３３及びポリゴンミラー３４が収容されている。光源３３は、光学箱３１の底壁部から突出する台座部３１ａに固定されている。光源３３は、例えばレーザダイオードを有するレーザー光源である。光源３３からポリゴンミラー３４に至る光路には入射ミラー３７が設けられている。入射ミラー３７は、光源３３から出射された光ビームを反射してポリゴンミラー３４の反射面に入射させる。光源３３と入射ミラー３７との間には、コリメータレンズ４１及びシリンダレンズ４２が配置されている。
【００２４】
ポリゴンミラー３４は、図３に示すように、ポリゴンモーター４５により回転駆動される。ポリゴンモーター４５は、光学箱３１の底壁部に設置されている。光学箱３１の底壁部におけるポリゴンミラー３４の側方には第一走査レンズ３５が設置されている。第一走査レンズ３５は、光学箱３１の底壁部から突出する台座部３１ｂに接着固定されている。光学箱３１の底壁部における、第一走査レンズ３５のポリゴンミラー３４側と反対側には、第一反射ミラー３８が配置されている。第一反射ミラー３８は、主走査方向に長い長尺形状を有している。第一反射ミラー３８は、光学箱３１の底壁部から突出する台座部３１ｃに固定されている。
【００２５】
光学箱３１内における蓋部材３２の近傍には、第一反射ミラー３８にて反射された光ビームを、光通過開口３２ａを経由して被走査部材としての感光ドラム１６へ導く光学素子が設けられている。本実施形態では、光学素子として、第二反射ミラー３９と第二走査レンズ３６と第三反射ミラー４０とが設けられている。
【００２６】
第二反射ミラー３９は、第一反射ミラー３８の上側（天井側）に配置されている。第三反射ミラー４０は、第二反射ミラー３９の側方であってポリゴンミラー３４の上側（天井側）に配置されている。蓋部材３２における第三反射ミラー４０に対向する部分には、主走査方向に延びる矩形状の光通過開口３２ａ（図４参照）が形成されている。そして、第三反射ミラー４０の反射光が光通過開口３２ａを介して光学箱３１の外部へ出射するようになっている。上記第二走査レンズ３６は、第二反射ミラー３９と第三反射ミラー４０との間に配置されている。第二反射ミラー３９、第三反射ミラー４０及び第二走査レンズ３６はいずれも、主走査方向に長い長尺形状を有している。
【００２７】
以上のように構成された光走査装置３０において、光源３２から出射した光は、コリメータレンズ４１（図２に参照）及びシリンダレンズ４２を通過した後、入射ミラー３７により反射されてポリゴンミラー３４の反射面に集光される。ポリゴンミラー３４に集光された光ビームは、ポリゴンミラー３４の反射面により偏向走査されて、第一走査レンズ３５に入射する。第一走査レンズ３５を通過した光ビームは、第一反射ミラー３８によりポリゴンミラー３４よりも天井側に向けて反射される。第一反射ミラー３８により反射された光ビームは、第二反射ミラー３９により反射されて第二走査レンズ３６を通過した後、第三反射ミラー４０により反射されて光通過開口３２ａを経由し感光ドラム１６へと導かれる。こうして、光ビームは、感光ドラム１６の表面に結像する。感光ドラム１６の表面に結像された光ビームは、ポリゴンミラー３４の回転によって感光ドラム１６の表面を主走査方向に走査するとともに、感光ドラム１６の回転によって副走査方向に走査して感光ドラム１６の表面に静電潜像を形成する。
【００２８】
図３に示すように、上記第二反射ミラー３９はミラー支持部Ｓ１によって蓋部材３２に支持され、第三反射ミラー４０はミラー支持部Ｓ２によって蓋部材３２に支持され、第二走査レンズ３６はレンズ支持部Ｓ３によって蓋部材３２に支持されている。図４に示すように、ミラー支持部Ｓ１、ミラー支持部Ｓ２、及びレンズ支持部Ｓ３はそれぞれ、第二反射ミラー３９、第三反射ミラー４０及び第二走査レンズ３６の主走査方向の中間部（本実施形態では例えば中央部）を支持している。
【００２９】
図５に示すように、第二反射ミラー３９を支持するミラー支持部Ｓ１は、支持板部６０と対向壁部６１と連結壁部６２とを有している。支持板部６０は、主走査方向から見て、蓋部材３２の光学箱３１内に臨む面に所定角度で接続されている。支持板部６０は、蓋部材３２と一体形成されていてもよいし、蓋部材３２とは別の部材で形成されていてもよい。対向壁部６１は、支持板部６０における蓋部材３２側とは反対側の端部において該対向壁部６１に対向している。対向壁部６１は、主走査方向に延びる矩形板状に形成されている。支持板部６０における光学箱３１の底壁部側の端縁と、対向壁部６１における該底壁部側の端縁とは連結壁部６２を介して連結されている。
【００３０】
第二反射ミラー３９の主走査方向の中央部は、矩形ブロック状のホルダー８１（図５及び図６参照）により保持されている。ホルダー８１の厚さ方向の一側面には、主走査方向に延びる溝部８１ａが形成されている。第二反射ミラー３９は、この溝部８１ａに嵌合して接着固定されている。ホルダー８１の主走査方向に延びる２つの端縁部のうちの一方は、支持板部６０と対向壁部６１と連結壁部７２とで形成される凹部６３（図５参照）内に挿入されている。ホルダー８１の厚さ方向の一側面と対向壁部６１との間には、断面Ｕ字状の板バネ１０１が圧縮状態で挿入されている。ホルダー８１は、板バネ１０１の付勢力により支持板部６０側に常時付勢されている。ホルダー８１における蓋部材３２側の端部には、主走査方向に間隔を空けて並ぶ２つのネジ孔８１ｂ（図５では一方のネジ孔８１ｂのみを示す）が形成されている。２つのネジ孔８１ｂにはそれぞれアジャストボルト９１が螺合している。アジャストボルト９１の先端は、半球面状に形成されていて、支持板部６０に当接している。アジャストボルト９１をドライバー等により回転させることで、支持板部６０に対するホルダー８１の取付け角度を調整し、延いては支持板部６０に対する第二反射ミラー３９の取付け角度を調整することができる。
【００３１】
第三反射ミラー４０を支持するミラー支持部Ｓ２の基本的な構成はミラー支持部Ｓ１と同様であるため、以下ではその説明を簡潔に行うものとする。すなわち、ミラー支持部Ｓ２は、図７に示すように、支持板部７０と対向壁部７１と連結壁部７２とを有している。第三反射ミラー４０は、ホルダー８２に形成された溝部８２ａに嵌合して接着されている。ホルダー８２の主走査方向に延びる２つの端縁部のうちの一方は、支持板部７０と対向壁部７１と連結壁部７２とで形成される凹部７４内に挿入されている。ホルダー８２と対向壁部７１との間には、断面Ｕ字状の板バネ１０２が圧縮状態で挿入されている。ホルダー８２には、主走査方向に間隔を空けて並ぶ２つのネジ孔８２ｂ（図７では一方のネジ孔８２ｂのみを示す）が形成されている。２つのネジ孔８２ｂにはそれぞれアジャストボルト９２が螺合している。アジャストボルト９２の先端は支持板部７３に当接しており、アジャストボルト９２をドライバー等により回転させることで支持板部７３に対する第三反射ミラー４０の取付け角度を調整可能になっている。
【００３２】
図８に示すように、第二走査レンズ３６を支持するレンズ支持部Ｓ３は、支持板部５０を有している。支持板部５０は、主走査方向から見て、蓋部材３２の光学箱３１内に臨む面に所定角度で接続されている。支持板部５０は、蓋部材３２と一体形成されていてもよいし、蓋部材３２とは別の部材で形成されていてもよい。第二走査レンズ３６は、支持板部５０に対してホルダー８０を介して支持されている。ホルダー８０は、主走査方向に延びるブロック板状のホルダー本体８０ａと、主走査方向から見てホルダー本体８０ａに対して所定角度で接続された傾斜板部８０ｂとを有している。支持板部５０の蓋部材３２側と反対側の端部は、上記ホルダー本体８０ａと傾斜板部８０ｂとの間に挿入されている。支持板部５０の該端部とホルダー本体８０ａとの間には断面Ｖ字状の板バネ１００が圧縮された状態で挿入されている。
【００３３】
第二走査レンズ３６は、ホルダー本体８０ａの蓋部材３２側と反対側の端面に接着固定されている。第二走査レンズ３６におけるホルダー８０ａとの当接面には、主走査方向に間隔を空けて並ぶ一対の突出ボス部３６ａ（図８及び図９参照）が形成されている。一対の突出ボス部３６ａは、ホルダー本体８０ａのレンズ固定面に形成された位置決め穴８０ｃに嵌合して第二走査レンズ３６の位置決めを行う。ホルダー本体８０ａの蓋部材３２側の端部には、主走査方向に間隔を空けて並ぶ一対の貫通孔８０ｄが形成されている。各貫通孔８０ｄにはそれぞれアジャストボルト９０が挿通されている。各アジャストボルト９０の先端部は、支持板部５０に形成されたネジ孔５０ａに螺合している。このアジャストボルト９０をドライバー等により回転させることで、支持板部５０に対するホルダー８０の取付け角度を調整し、延いては支持板部５０に対する第二走査レンズ３６の取付け角度を調整可能になっている。
【００３４】
以上説明したように、本実施形態の光走査装置３０では、ポリゴンミラー３４よりも天井側に設けられた３つの光学素子（第二反射ミラー３９、第三反射ミラー４０及び第二走査レンズ３６）を蓋部材３２に支持させるようにしている。したがって、各光学素子を、光学箱３１の底壁部から天井側に延びる支持柱により支持する必要がない。よって支持柱の撓み変形により各光学素子の支持剛性が低下するのを回避することができる。そうして各光学素子の支持剛性を十分に確保することで、各光学素子が、ポリゴンミラー３４の回転振動により振動するのを抑制することができる。また上記３つの光学素子を支持する蓋部材３２は、振動源であるポリゴンミラー３４が設置された光学箱３１とは別体で構成されている。したがって、上記３つの光学素子を光学箱３１の底壁部に配置するようにした場合に比べて、ポリゴンミラー３４の回転振動が光学素子に伝わり難くなるとともに、光学箱３１の底壁部の面積を出来る限り小さくすることができる。
【００３５】
また、従来の光走査装置３０では、光学箱３１の底壁部から天井側に延びる支持柱により光路が遮断されるのを防止するべく、一対の支持柱により各光学素子の主走査方向の両端部を支持するようにしている。このため、各光学素子の主走査方向の中間部に撓み変形が生じて光走査装置３０の光学性能が低下するという問題がある。また、各光学素子の両端部付近に支持柱を配置する必要があるので、光学箱３１の主走査方向の寸法が大型化するという問題がある。
【００３６】
これに対して本実施形態では、各光学素子は各ミラー支持部Ｓ１〜Ｓ３を介して蓋部材３２に支持されている。したがって、各ミラー支持部Ｓ１〜Ｓ３により光路を遮ることなく各光学素子の主走査方向の中間部を支持することができる。これにより、上述した光学素子の中間部の撓み変形の問題と光学箱３１の主走査方向の寸法増加の問題とを同時に解決することができる。
【００３７】
しかも、光学箱３１と蓋部材３２との間には緩衝部材４６が設けられているので、ポリゴンミラー３４の回転振動が光学箱３１の底壁部及び側壁部を介して蓋部材３２に伝達されるのを確実に抑制することができる。
【００３８】
また本実施形態において、蓋部材３２の光学箱３１内に臨む面には上記３つの光学素子（第二走査レンズ３６、第二反射ミラー３９及び第三反射ミラー４０）をそれぞれ支持する支持板部５０、支持板部６０及び支持板部７０が接続されている。そして上記光走査装置３０は、各支持板部５０，支持板部６０及び支持板部７０に対する各光学素子の取付け角度を調整するための位置調整手段（アジャストボルト９０〜９２等）を有している。したがって、光学箱３１と蓋部材３２との間に緩衝部材４６を設けることにより光学箱３１に対する蓋部材３２の位置決め精度が低下したとしても、蓋部材３２に支持された各光学素子の取付け角度を位置調整手段により調整することでレーザプリンタ１の印刷画像の画質低下を抑制することができる。
【００３９】
《実施形態２》
図１０は実施形態２を示している。本実施形態は、蓋部材３２の構成が実施形態１とは異なる。尚、蓋部材３２以外の構成は実施形態１と同様であるため、実施形態１と同じ構成部分については詳細な説明を省略する。
【００４０】
すなわち、本実施形態では、蓋部材３２は、主走査方向の一側に位置する一側分割部３２１と主走査方向の他側に位置する他側分割部３２２とに分割されている。一側分割部は、矩形板部３２１ａと、矩形板部３２１ａの主走査方向の他側端縁から該他側に向かって櫛状に突出する第一〜第三矩形板部３２１ｂ〜３２１ｄとを有している。第一〜第三矩形板部３２１ｂ〜３２１ｄは、主走査方向に直交する方向において互いに間隔を空けて並んでいる。第一矩形板部３２１ｂには、第三反射ミラー４０を支持する支持板部７０が接続され、第二矩形板部３２１ｃには、第二走査レンズ３６を支持する支持板部５０が接続され、第三矩形板部３２１ｄには、第二反射ミラー３９を支持する支持板部６０が接続されている。
【００４１】
他側分割部３２２は、矩形板部３２２ａと、矩形板部３２２ａの主走査方向の一側端縁から該一側に向かって櫛状に突出する第一〜第三矩形板部３２２ｂ〜３２２ｄとを有している。第一〜第三矩形板部３２２ｂ〜３２２ｄは、主走査方向に直交する方向において互いに間隔を空けて並んでいる。第一矩形板部３２２ｂは、第三反射ミラー４０の天井側に位置し、第二矩形板部３２２ｃは第二走査レンズ３６の天井側に位置し、第三矩形板部３２２ｄは第二反射ミラー３９の天井側に位置している。
【００４２】
以上説明したように、本実施形態の光走査装置３０では、蓋部材３２は、３つの光学素子（第二走査レンズ３６、第二反射ミラー３９及び第三反射ミラー４０）を支持する一側分割部３２１と、これら３つの光学素子を支持しない他側分割部３２２とに分割されている。したがって、ユーザーは他側分割部３２２を光学箱３１から取り外すことで、一側分割部３２１に支持された３つの光学素子の取付け角度の調整を容易に行うことができる。
【００４３】
《他の実施形態》
上記実施形態では、光走査装置３０をレーザプリンタ１に搭載した例について説明したが、これに限ったものではない。すなわち、光走査装置３０は、プロジェクタ、バーコードリーダー、又はレーザー顕微鏡等に搭載されていてもよい。
【００４４】
上記実施形態では、画像形成装置の一例としてレーザープリンタを挙げて説明を行ったが、これに限ったものではなく、画像形成装置は複写機や複合機等であってもよい。
【産業上の利用可能性】
【００４５】
以上説明したように、本発明は、光走査装置及び該光走査装置を備えた画像形成装置について有用である。
【符号の説明】
【００４６】
Ｓ１   ミラー支持部
Ｓ２   ミラー支持部
Ｓ３   レンズ支持部
１     レーザプリンタ（画像形成装置）
１６   感光体ドラム（被走査部材）
３０   光走査装置
３１   光学箱
３２   蓋部材
３２ａ 光通過開口
３３   光源     
３４   ポリゴンミラー（回転多面鏡）
３８   第一反射ミラー（反射ミラー）
３９   第二反射ミラー（光学素子）
４０   第三反射ミラー（光学素子）
４６   緩衝部材
５０   支持板部
６０   支持板部
７０   支持板部
９０   アジャストボルト（位置調整手段）
９１   アジャストボルト（位置調整手段）
９２   アジャストボルト（位置調整手段）
３２１ 一側分割部（蓋部）   
３２２ 他側分割部（蓋部）
【図１】
0006410049.tif 000002
【図２】
0006410049.tif 000003
【図３】
0006410049.tif 000004
【図４】
0006410049.tif 000005
【図５】
0006410049.tif 000006
【図６】
0006410049.tif 000007
【図７】
0006410049.tif 000008
【図８】
0006410049.tif 000009
【図９】
0006410049.tif 000010
【図１０】
0006410049.tif 000011